(57)【特許請求の範囲】
【請求項１】
土砂搬送経路の搬送方向上流端に略水平に配置したテールプーリと、土砂搬送経路の搬送方向下流端に略水平に配置したヘッドプーリと、土砂搬送経路が搬送方向上流側から下流側に向って横方向に湾曲する部分の搬送方向上流側付近に、搬送方向上流側から下流側へ順次略水平状態から略垂直状態になるように角度を替えて配置した複数の上流側傾斜キャリヤローラ及び上流側傾斜リターンローラと、土砂搬送経路の湾曲部分の搬送方向下流端付近に搬送方向上流側から下流側へ順次略垂直状態から略水平状態になるように角度を替えて配置した複数の下流側傾斜キャリヤローラ及び下流側傾斜リターンローラと、土砂搬送経路の湾曲部分に沿ってそれぞれ略垂直に配置した複数の湾曲部キャリヤローラ及び湾曲部リターンローラと、テールプーリ、上流側傾斜キャリヤローラ、湾曲部キャリヤローラ、下流側傾斜キャリヤローラ、ヘッドプーリ、下流側傾斜リターンローラ、湾曲部リターンローラ及び上流側傾斜リターンローラに周回可能に巻き掛けた無端状の搬送ベルトと、上流側傾斜キャリヤローラの搬送方向上流側の上方に略水平に配置した上流側ベンドプーリと、下流側傾斜キャリヤローラの搬送方向下流側の上方に略水平に配置した下流側ベンドプーリと、搬送ベルトの上流側傾斜キャリヤローラ、湾曲部キャリヤローラ及び下流側傾斜キャリヤローラに支持されている部分に対向するように配置した複数の被覆ベルト用キャリヤローラと、土砂搬送経路の湾曲部分に沿ってそれぞれ垂直に配置した複数の被覆ベルト用リターンローラと、上流側ベンドプーリ、被覆ベルト用キャリヤローラ、下流側ベンドプーリ及び被覆ベルト用リターンローラに周回可能に巻き掛けられた無端状の被覆ベルトと、搬送ベルトの上流側傾斜キャリヤローラ、湾曲部キャリヤローラ及び下流側傾斜キャリヤローラに支持されている部分の両縁部に対して、被覆ベルトの被覆用キャリヤローラに支持されている部分の両縁部を密着させ得る複数の押圧ローラとを備えてなることを特徴とするコンベヤ装置。
【請求項２】
湾曲部リターンローラを湾曲部キャリヤローラの下側に配置し、被覆ベルト用リターンローラを被覆ベルト用キャリヤローラの上側に配置した請求項１に記載のコンベヤ装置。
【請求項３】
テールプーリをトンネル掘進装置の後端部に支持したことを特徴とする請求項１あるいは請求項２のいずれかに記載のコンベヤ装置。
【請求項４】
土砂搬送経路の搬送方向下流側近傍部分に、搬送ベルトに対するベルト延伸機構を設けたことを特徴とする請求項１あるいは請求項２のいずれかに記載のコンベヤ装置。
【請求項５】
土砂搬送経路の搬送方向下流側近傍部分に、搬送ベルトに対するベルト緊張機構を設けたことを特徴とする請求項１あるいは請求項２のいずれかに記載のコンベヤ装置。
【発明の詳細な説明】
【０００１】
【発明の属する技術分野】
本発明は、トンネル工事の排出土砂の搬送用のコンベヤ装置に関するものである。
【０００２】
【従来の技術】
横堀式シールド工法によるトンネル工事の排出土砂（ずり）を搬送するためのコンベヤ装置は、トンネル掘進装置の後方に設けられている。
【０００３】
図７及び図８はトンネル掘進装置及びコンベヤ装置の一例である。
【０００４】
トンネル掘進装置１は、トンネル２を掘進するトンネルボーリングマシン本体３（以下、ＴＢＭ本体という）と、該ＴＢＭ本体３の後方のトンネル２内の下部にトンネル２の長手方向に敷設されたレール４と、該レール４上に移動自在に配置された複数のＴＢＭ後続設備台車５と、前記のレール４上に移動自在に配置されたコンベヤ乗継ぎ台車６と、前記のＴＢＭ本体３のずりシュート（図示せず）下から前記のコンベヤ乗継ぎ台車６までの間にＴＢＭ後続設備台車５の上面に沿って延びるように設けられたＴＢＭコンベヤ７とによって構成されている。
【０００５】
トンネル掘進装置１の後方に配置されたコンベヤ装置８は、コンベヤ乗継ぎ台車６のＴＢＭコンベヤ７頭部の側方下部の所定位置に枢支されたテールプーリ９と、該テールプーリ９からトンネル２の軸線に平行してトンネル２の外部へ延びる線上の所定位置に固設された頭部乗継ぎ台１０と、該頭部乗継ぎ台１０のトンネル２側に配置されたベルト延伸機構１１と、コンベヤベルト１２とを有する。
【０００６】
ベルト延伸機構１１は、図８に示すように頭部乗継ぎ台１０のトンネル２側に移動自在に設けられたベルト延伸用のプーリ台車１３と、該プーリ台車１３のトンネル２側の所定位置に固設されたプーリ台１４と、該プーリ台１４のトンネル２側に配置・固定されたベルト延伸用の電動ウインチ１５と、該電動ウインチ１５のトンネル２側に固設されたベルト延伸用のロープ巻上用リール１６とを備えている。
【０００７】
頭部乗継ぎ台１０は、上部先端に配置されたヘッドプーリ１７と、下部に配置されたタンデム型の駆動プーリ１８を有する駆動装置１９と、トンネル２側の後面に上下方向に所定の間隔を置いて配置された３個のベンドプーリ２０とを有する。
【０００８】
プーリ台車１３は、コンベヤ装置８の延設方向に敷設されたレール２１上に移動自在に上架されており、前記の頭部乗継ぎ台１０側の前面に、前記のベンドプーリ２０に対峙するように上下方向に配置された３個のベンドプーリ２２と、トンネル２側の後面に配置された複数のローププーリ２３とを有する。
【０００９】
プーリ台１４は、プーリ台車１３に設けられたローププーリ２３に対応するように取り付けられた複数のローププーリ２４を有する。
【００１０】
コンベヤベルト１２は、前記の駆動プーリ１８からヘッドプーリ１７を経てテールプーリ９に掛け回され、更に、頭部乗継ぎ台１０のベンドプーリ２０とプーリ台車１３のベンドプーリ２２とに交互に掛け渡されたのち、駆動プーリ１８へ戻るように張設されている。
【００１１】
このコンベヤベルト１２は、ヘッドプーリ１７からテールプーリ９までの間において、図示していないコンベヤガーダ上に所定の間隔を隔てて配置され且つ所要のトラフ角度を有するキャリヤローラ（図示せず）によって移動自在に支持され、テールプーリ９からベンドプーリ２０までの間では、図示していないコンベヤガーダの下面に所定の間隔を隔てて配置されているリターンローラ（図示せず）によって移動自在に支持されている。
【００１２】
ロープ巻上げ用リール１６から繰り出されたワイヤロープ２５は、ベルト延伸用の電動ウインチ１５に巻掛けられたのち、プーリ台車１３のローププーリ２３とプーリ台１４のローププーリ２４との間に交互に巻掛けられ、その先端部はプーリ台１４に固定されており、ロープ巻上げ用リール１６によって電動ウインチ１５のトルク伝達に必要な初期張力が付与されている。
【００１３】
而して、電動ウインチ１５を作動し、ロープ巻上げ用リール１６にワイヤロープ２５を巻き込むことによって、コンベヤベルト１２に所定の張力を付与し得るようになっている。
【００１４】
また、ベルト延伸用の電動ウインチ１５によってワイヤロープ２５が繰り出されると、プーリ台車１３が頭部乗継ぎ台１０方向へ移動し、該プーリ台車１３のベンドプーリ２２と頭部乗継ぎ台１０のベンドプーリ２０との間に掛け回されているコンベヤベルト１２が頭部乗継ぎ台１０とコンベヤ乗継ぎ台車６との間に繰り出され、頭部乗継ぎ台１０とコンベヤ乗継ぎ台車６との間のコンベヤベルト１２の長さの変化に対応できるようになっている。
【００１５】
トンネル掘進装置１のＴＢＭ本体３によってトンネル２を掘進する際に排出される土砂（ずり）は、ＴＢＭ本体３から図示していないずりシュートを介してＴＢＭコンベヤ７に移載され、該ＴＢＭコンベヤ７によってコンベヤ乗継ぎ台車６まで搬送され、ＴＢＭコンベヤ７の頭部からコンベヤ装置８のテールプーリ９近傍のコンベヤベルト１２上に供給され、コンベヤ装置８によって頭部乗継ぎ台１０まで搬送され、コンベヤ装置８頭部のヘッドプーリ１７部分から下流側のベルトコンベヤ（図示せず）などに供給されることによって、トンネル２内から排除される。
【００１６】
トンネル掘進装置１によるトンネル２の掘進作業は、ＴＢＭ本体３が前進することによって行なわれるので、ＴＢＭ本体３とともにＴＢＭコンベヤ７がトンネル２の先端方向へ移動する。
【００１７】
ＴＢＭコンベヤ７の移動に伴いコンベヤ装置８のテールプーリ９も移動し、コンベヤ装置８の長さに変化を生じるが、ベルト延伸機構１１の作動によりロープ巻上用リール１６に巻き込まれているワイヤロープ２５を適宜繰り出してコンベヤベルト１２を延伸させることによって、ＴＢＭコンベヤ７の移動に起因するコンベヤ装置８の長さの変化に対応する。
【００１８】
従来、上述のようなトンネル掘進装置１及びコンベヤ装置８によって掘削されるトンネルの一部に湾曲部分が存在するときには、湾曲部分のトンネル先端側とトンネル出口側とに、それぞれ別々のコンベヤ装置８を配置し、湾曲部分には複数の短いコンベヤを配置して土砂の排出を行なうようにしている。
【００１９】
【発明が解決しようとする課題】
ところが、トンネルの湾曲部分のトンネル先端側に、図７及び図８に示すようなコンベヤ装置８を配置する場合、トンネル２の内部は非常に狭いので、コンベヤ装置８の駆動装置１９、ベルト緊張装置、及びベルト延伸機構１１などを配置するスペースを別途に設けなければならず、トンネル掘削に要する工期が長くなり、また、工事コストが嵩むという問題があった。
【００２０】
本発明は上述した実情に鑑みてなしたもので、湾曲部が存在するトンネルに適したコンベヤ装置を提供することを目的とするものである。
【００２１】
【課題を解決するための手段】
上記目的を達成するため、本発明の請求項１に記載のコンベヤ装置においては、土砂搬送経路の搬送方向上流端に略水平に配置したテールプーリと、土砂搬送経路の搬送方向下流端に略水平に配置したヘッドプーリと、土砂搬送経路が搬送方向上流側から下流側に向って横方向に湾曲する部分の搬送方向上流側付近に、搬送方向上流側から下流側へ順次略水平状態から略垂直状態になるように角度を替えて配置した複数の上流側傾斜キャリヤローラ及び上流側傾斜リターンローラと、土砂搬送経路の湾曲部分の搬送方向下流端付近に搬送方向上流側から下流側へ順次略垂直状態から略水平状態になるように角度を替えて配置した複数の下流側傾斜キャリヤローラ及び下流側傾斜リターンローラと、土砂搬送経路の湾曲部分に沿ってそれぞれ略垂直に配置した複数の湾曲部キャリヤローラ及び湾曲部リターンローラと、テールプーリ、上流側傾斜キャリヤローラ、湾曲部キャリヤローラ、下流側傾斜キャリヤローラ、ヘッドプーリ、下流側傾斜リターンローラ、湾曲部リターンローラ及び上流側傾斜リターンローラに周回可能に巻き掛けた無端状の搬送ベルトと、上流側傾斜キャリヤローラの搬送方向上流側の上方に略水平に配置した上流側ベンドプーリと、下流側傾斜キャリヤローラの搬送方向下流側の上方に略水平に配置した下流側ベンドプーリと、搬送ベルトの上流側傾斜キャリヤローラ、湾曲部キャリヤローラ及び下流側傾斜キャリヤローラに支持されている部分に対向するように配置した複数の被覆ベルト用キャリヤローラと、土砂搬送経路の湾曲部分に沿ってそれぞれ垂直に配置した複数の被覆ベルト用リターンローラと、上流側ベンドプーリ、被覆ベルト用キャリヤローラ、下流側ベンドプーリ及び被覆ベルト用リターンローラに周回可能に巻き掛けられた無端状の被覆ベルトと、搬送ベルトの上流側傾斜キャリヤローラ、湾曲部キャリヤローラ及び下流側傾斜キャリヤローラに支持されている部分の両縁部に対して、被覆ベルトの被覆用キャリヤローラに支持されている部分の両縁部を密着させ得る複数の押圧ローラとを備えている。
【００２２】
本発明の請求項２に記載のコンベヤ装置では、本発明の請求項１に記載のコンベヤ装置の構成に加えて、湾曲部リターンローラを湾曲部キャリヤローラの下側に配置し、被覆ベルト用リターンローラを被覆ベルト用キャリヤローラの上側に配置している。
【００２３】
本発明の請求項３に記載のコンベヤ装置においては、本発明の請求項１あるいは請求項２のいずれかに記載のコンベヤ装置の構成に加えて、テールプーリをトンネル掘進装置の後端部に支持している。
【００２４】
本発明の請求項４に記載のコンベヤ装置においては、本発明の請求項１あるいは請求項２のいずれかに記載のコンベヤ装置の構成に加えて、土砂搬送経路の搬送方向下流側近傍部分に搬送ベルトに対するベルト延伸機構を設けている。
【００２５】
本発明の請求項５に記載のコンベヤ装置においては、本発明の請求項１あるいは請求項２のいずれかに記載のコンベヤ装置の構成に加えて、土砂搬送経路の搬送方向下流側近傍部分に、搬送ベルトに対するベルト緊張機構を設けている。
【００２６】
本発明の請求項１に記載のコンベヤ装置では、土砂搬送経路の湾曲部分に位置している搬送ベルトを、上流側傾斜キャリヤローラ、湾曲部キャリヤローラ、下流側傾斜キャリヤローラ、下流側傾斜リターンローラ、湾曲部リターンローラ及び上流側傾斜リターンローラによって搬送面が略垂直になるように捻転支持し、土砂搬送経路の湾曲部分に沿って搬送ベルトを通過させる。
【００２７】
また、土砂搬送経路の湾曲部分に位置している搬送ベルトの搬送面を、被覆ベルト用キャリヤローラ及び被覆ベルト用リターンローラで支持される被覆ベルトによって覆い、該被覆ベルトの両縁部を押圧ローラによって搬送ベルトの両縁部に密着させ、搬送ベルトからの土砂の落下を防止する。
【００２８】
本発明の請求項２に記載のコンベヤ装置では、湾曲部キャリヤローラの下側に配置した湾曲部リターンローラにより、搬送ベルトのキャリヤ部分の下方で搬送ベルトのリターン部分を移動させ、更に、被覆ベルト用キャリヤローラの上側に配置した被覆ベルト用リターンローラにより、被覆ベルトのキャリヤ部分の上方で被覆ベルトのリターン部分を移動させて、コンベヤ装置の幅寸法の縮小を図る。
【００２９】
本発明の請求項３に記載のコンベヤ装置では、トンネル掘進装置の前進とともにコンベヤ装置のテールプーリが移動する。
【００３０】
本発明の請求項４に記載のコンベヤ装置では、ベルト延伸機構が搬送ベルトに対して延伸を許容する。
【００３１】
本発明の請求項５に記載のコンベヤ装置では、ベルト緊張機構が搬送ベルトに対して所要の張力を付与する。
【００３２】
【発明の実施の形態】
以下、本発明の実施の形態を、図示例と共に説明する。
【００３３】
図１から図６は本発明のコンベヤ装置の実施の形態の一例であり、図中、図７及び図８と同一符号を付したものは同一物を表す。
【００３４】
トンネル掘進装置によって掘削されたトンネル２６は、切り羽から直線的に略水平に延びる土砂搬送経路２７の土砂搬送方向上流側の上流部２８と、該上流部２８の土砂搬送方向下流側に連続し且つ略水平に湾曲する中間部２９と、該中間部２９の土砂搬送方向下流側に連続する下流部３０とを有する。
【００３５】
コンベヤ装置３１は、前記のトンネル２６の上流部２８に、トンネル２６に沿って直線的に延びるコンベヤ上流部３２と、該コンベヤ上流部３２の土砂搬送方向下流端に連続する上流側ベルト捻転部３３と、該上流側ベルト捻転部３３からトンネル２６の中間部２９に沿って曲線状に延びるコンベヤ中間部３４と、該コンベヤ中間部３４の土砂搬送方向下流端に連続する下流側ベルト捻転部３５と、該下流側ベルト捻転部３５からトンネル２６の下流部３０に沿って直線的に延び且つトンネル２６の外部に駆動装置１９などを備えたコンベヤ下流部３６と、前記のコンベヤ装置３１の上流側ベルト捻転部３３とコンベヤ中間部３４と下流側ベルト捻転部３５とに掛かる搬送ベルト３７の土砂搬送面に沿って延びるように、トンネル２６の上流部２８の土砂搬送経路下流端からトンネル２６の中間部２９を経てトンネル２６の下流部３０の土砂搬送経路上流端までの間に配置され、搬送ベルト３７に同調して移動し得る被覆ベルト３８を有するベルト被覆装置３９とによって構成されている。
【００３６】
コンベヤ上流部３２は、土砂搬送経路２７の搬送方向上流端（ＴＢＭコンベヤ７の頭部）のコンベヤ乗継ぎ台車６のＴＢＭコンベヤ頭部側方下部に、略水平に配置されたテールプーリ４０を尾部に有し、該テールプーリ４０から、トンネル２６の中間部２９が横方向へ湾曲を開始する箇所付近までの間に、図３に示すようなコンベヤガーダ３２ａ上に略水平に配置された複数の上流側キャリヤローラ４１と、該上流側キャリヤローラ４１の下方に、上流側キャリヤローラ４１と略平行するように前記のコンベヤガーダ３２ａ下に配置された複数の上流側リターンローラ４２とを有する。
【００３７】
コンベヤ中間部３４は、トンネル２６の中間部２９が横方向へ湾曲を開始する箇所付近から当該湾曲を完了する箇所付近までの間に、トンネル２６の中間部２９の湾曲に沿って延びるよう略垂直横向きに設けられたコンベヤガーダ３４ａ（図４参照）に、搬送ベルト３７を搬送する面が湾曲の半径方向外側に向くように配置された複数の湾曲部キャリヤローラ４３と、該湾曲部キャリヤローラ４３の下方に、湾曲部キャリヤローラ４３と並行するよう略垂直に且つ前記湾曲の半径方向外側に搬送ベルト３７を搬送する面が向くように配置された複数の湾曲部リターンローラ４４とを有する。
【００３８】
上流側ベルト捻転部３３は、図２に示すように前記のコンベヤ上流部３２の上流側キャリヤローラ４１の搬送方向下流端とコンベヤ中間部３４の湾曲部キャリヤローラ４３の搬送方向上流端との間に設けられたコンベヤガーダ（図示せず）に取り付けられ且つ搬送方向上流側から下流側に向かって略水平状態から略垂直状態になるよう順次に角度を変えて設けられた複数の上流側傾斜キャリヤローラ４５と、前記の上流側リターンローラ４２の搬送方向下流端と湾曲部リターンローラ４４の搬送方向上流端との間に設けられたコンベヤガーダ（図示せず）に取り付けられ且つ搬送方向上流側から下流側に向かって略水平状態から略垂直状態になるよう順次に角度を変えて設けられた複数の上流側傾斜リターンローラ４６とを有する。
【００３９】
コンベヤ下流部３６は、トンネル２６の中間部が横方向への湾曲を完了する箇所付近からトンネル２６の下流部３０の軸線に平行してトンネル２６の外部へ略直線的に延びる土砂搬送経路２７の搬送方向下流端に設けられた頭部乗継ぎ台１０に略水平に配置したヘッドプーリ１７を頭部に有し、トンネル２６の中間部２９が横方向への湾曲を完了する箇所付近から前記のヘッドプーリ１７までの間に、図３に示すようなコンベヤガーダ３６ａ上に略水平に配置された複数の下流側キャリヤローラ４７と、該下流側キャリヤローラ４７の下方に、下流側キャリヤローラ４７と略平行するように前記のコンベヤガーダ３６ａ下に配置された複数の下流側リターンローラ４８とを有する。
【００４０】
下流側ベルト捻転部３５は、図２に示すように前記のコンベヤ中間部３４の湾曲部キャリヤローラ４３の搬送方向下流端とコンベヤ下流部３６の下流側キャリヤローラ４７の搬送方向上流端との間に設けられたコンベヤガーダ（図示せず）に取り付けられ且つ搬送方向上流側から下流側に向かって略垂直状態から略水平状態になるよう順次に角度を変えて設けられた複数の下流側傾斜キャリヤローラ４９と、前記のコンベヤ中間部３４の湾曲部リターンローラ４４の搬送方向下流端とコンベヤ下流部３６の下流側リターンローラ４８の搬送方向上流端との間に設けられたコンベヤガーダ（図示せず）に取り付けられ且つ搬送方向上流側から下流側に向かって略垂直状態から略水平状態になるよう順次に角度を変えて設けられた複数の下流側傾斜リターンローラ５０とを有する。
【００４１】
搬送ベルト３７は、テールプーリ４０、上流側キャリヤローラ４１、上流側傾斜キャリヤローラ４５、湾曲部キャリヤローラ４３、下流側傾斜キャリヤローラ４９、下流側キャリヤローラ４７、ヘッドプーリ１７、下流側リターンローラ４８、下流側傾斜リターンローラ５０、湾曲部リターンローラ４４、上流側傾斜リターンローラ４６、上流側リターンローラ４２に周回可能に巻き掛けられている。
【００４２】
ベルト被覆装置３９は、図２、図４及び図５に示すように、前記のコンベヤ上流部３２の搬送方向下流端付近の上流側キャリヤローラ４１の上方に略水平に配置した上流側ベンドプーリ５１と、前記のコンベヤ下流部３６の搬送方向上流端付近の下流側キャリヤローラ４７の上方に略水平に配置した下流側ベンドプーリ５２と、前記の上流側ベンドプーリ５１と下流側ベンドプーリ５２とに周回可能に巻き掛けられ且つ前記の搬送ベルト３７の土砂搬送面に沿って延びる被覆ベルト３８と、該被覆ベルト３８のキャリヤ側に沿って配置され、被覆ベルト３８の幅方向両側縁部を、搬送ベルト３７の搬送面の幅方向両縁部に密着させ得るように取り付けられた押圧ローラ５３と、被覆ベルト３８のキャリヤ側の幅方向中央部を支持する被覆ベルト用キャリヤローラ５４と、該被覆ベルト用キャリヤローラ５４の上方位置に配置され、前記の被覆ベルト３８のレタン側を略垂直に支持し得るように被覆ベルト用キャリヤローラ５４に並行して設けられた被覆ベルト用リターンローラ５５とを備えている。
【００４３】
上記の他、例えば、トンネル掘進装置１、延伸機構１１、駆動装置１９等は、図７及び図８に示す従来例と変わるところがないので説明を省略する。
【００４４】
以下、図１から図６に示すコンベヤ装置の作動について説明する。
【００４５】
トンネル掘進装置１のＴＢＭ本体３によってトンネル２６を掘進する際に排出される土砂（ずり）は、ＴＢＭ本体３からＴＢＭコンベヤ７を介してコンベヤ乗継ぎ台車６まで搬送され、ＴＢＭコンベヤ７の頭部からコンベヤ装置３１のコンベヤ上流部３２のテールプーリ４０近傍の搬送ベルト３７上に供給され、該コンベヤ上流部３２によってトンネル２６の上流部２８の土砂搬送方向下流側端部まで搬送される。
【００４６】
トンネル２６の上流部２８の土砂搬送方向下流端において、コンベヤ上流部３２の上方に配置された上流側ベンドプーリ５１に巻き掛けられ且つコンベヤ上流部３２の搬送ベルト３７のキャリヤ側に当接し、搬送ベルト３７と共に移動する被覆ベルト３８によって搬送ベルト３７との間に形成される空間に流入した土砂は、コンベヤ上流部３２に連続する上流側ベルト捻転部３３を介してコンベヤ中間部３４に移送され、押圧ローラ５３によって搬送ベルト３７の幅方向両側縁部に押圧され密着して共に移動する被覆ベルト３８と搬送ベルト３７との間の空間に保持されつつトンネル２６の中間部２９を通過し、トンネル２６の中間部２９の土砂搬送方向下流側端部まで搬送され、該下流端部において、コンベヤ中間部３４に連続する下流側ベルト捻転部３５を介してコンベヤ下流部３６へ移送される。
【００４７】
ここで、コンベヤ下流部３６の土砂搬送方向上流端近傍の上方に配置された下流側ベンドプーリ５２に巻き掛けられている被覆ベルト３８が搬送ベルト３７から離隔し、被覆ベルト用リターンローラ５５に導かれてトンネル２６の中間部２９の土砂搬送方向上流側へ戻る。
【００４８】
コンベヤ下流部３６の搬送ベルト３７上の土砂は、該コンベヤ下流部３６によって頭部乗継ぎ台１０まで搬送され、コンベヤ装置３１頭部のヘッドプーリ１７部分から下流側のベルトコンベヤ（図示せず）などに供給されることによって、トンネル２６の内部から外部へ排除される。
【００４９】
なお、トンネル掘進装置１によるトンネルの掘進作業に伴うＴＢＭコンベヤ７の移動に起因して生じるコンベヤ装置３１の長さの変化に対しては、ベルト延伸機構１１の作動によりロープ巻上用リール１６に巻き込まれているワイヤロープ２５を適宜繰り出すことによって対応し搬送ベルト３７を延伸させることは、図８に示す従来例と変わらない。
【００５０】
以上のように、図１から図６に示すコンベヤ装置３１では、トンネル２６の上流部２８に位置するテールプーリ４０と下流部３０のヘッドプーリ１７とに巻き掛けられた無端状の搬送ベルト３７において、当該搬送ベルト３７のトンネル２６の湾曲した中間部２９に位置している部分を、略垂直に配置した湾曲部キャリヤローラ４３と湾曲部リターンローラ４４とによって略垂直に支持し、該搬送ベルト３７の搬送面の幅方向両側縁部に密着し得る被覆ベルト３８を設け、搬送ベルト３７と被覆ベルト３８の間に形成される空間によって土砂を保持しつつ、前記のトンネル２６の中間部２９における搬送ベルト３７の通過を図るようにしたので、トンネル２６の上流部２８と下流部３０との間で、単一の搬送ベルト３７を周回させることができる。
【００５１】
従って、トンネル２６の内部に図８に示すような駆動装置１９、ベルト延伸機構１１などを設ける必要がなく、トンネル掘削に要する工期が短縮され、工事コストの削減を図ることが可能となる。
【００５２】
また、湾曲部キャリヤローラ４３の下側に配置した湾曲部リターンローラ４４により、搬送ベルト３７のキャリヤ部分の下方で搬送ベルト３７のリターン部分を移動させ、被覆ベルト用キャリヤローラ５４の上側に配置した被覆ベルト用リターンローラ５５により、被覆ベルト３８のキャリヤ部分の下方で被覆ベルト３８のリターン部分を移動させるので、コンベヤ装置の幅寸法の縮小が図られ、トンネル２６の湾曲した中間部２９の内部空間を有効に利用できる。
【００５３】
なお、本発明のコンベヤ装置は上述した形態例にのみ限定されるものではなく、本発明の要旨を逸脱しない範囲内において種々変更を加え得ることは勿論である。
【００５４】
【発明の効果】
以上述べたように、本発明のコンベヤ装置によれば、下記のような種々の優れた効果を奏し得る。
【００５５】
（１）  土砂搬送方向経路の湾曲が開始される箇所から湾曲が完了する箇所までの間の搬送ベルトを、略垂直に配置した湾曲部キャリヤローラと湾曲部リターンローラとによって略垂直に支持し、該垂直に支持した搬送ベルトの搬送面の幅方向両側縁部に密着し得る被覆ベルトを設け、搬送ベルトと被覆ベルトの間に形成される空間によって土砂を保持しつつ、前記の中間部における搬送ベルトの通過を図るので、トンネルの上流部と下流部との間で、単一の搬送ベルトを周回させることができる。
【００５６】
（２）  従って、トンネルの内部に駆動装置、ベルト延伸機構などを設ける必要がなく、トンネル掘削に要する工期が短縮され、工事コストの削減を図ることが可能となる。
【図面の簡単な説明】
【図１】本発明のコンベヤ装置の実施の形態の一例を示す平面図である。
【図２】本発明のコンベヤ装置の実施の形態の一例における搬送ベルトと被覆ベルトとの関係を示す概念図である。
【図３】図１に関連するコンベヤ上流部、コンベヤ下流部の断面拡大図である。
【図４】図１に関連するコンベヤ中流部の断面拡大図である。
【図５】図４のＶ−Ｖ矢視図である。
【図６】図１に関連するコンベヤ中間部の部分拡大平面図である。
【図７】従来のトンネル掘進装置とコンベヤ装置の一例の概略側面図である。
【図８】図７に関連するコンベヤ装置の側面図である。
【符号の説明】
１７          ヘッドプーリ
２７          土砂搬送経路
３７          搬送ベルト
３８          被覆ベルト
４０          テールプーリ
４３          湾曲部キャリヤローラ
４４          湾曲部リターンローラ
４５          上流側傾斜キャリヤローラ
４６          上流側傾斜リターンローラ
４９          下流側傾斜キャリヤローラ
５０          下流側傾斜リターンローラ
５１          上流側ベンドプーリ
５２          下流側ベンドプーリ
５３          押圧ローラ
５４          被覆ベルト用キャリヤローラ
５５          被覆ベルト用リターンローラ
【図１】
0003831495.tif 000002
【図２】
0003831495.tif 000003
【図３】
0003831495.tif 000004
【図４】
0003831495.tif 000005
【図５】
0003831495.tif 000006
【図６】
0003831495.tif 000007
【図７】
0003831495.tif 000008
【図８】
0003831495.tif 000009